【手続補正書】
【提出日】平成17年2月21日(2005.2.21)
【手続補正１】
【補正対象書類名】特許請求の範囲
【補正対象項目名】全文
【補正方法】変更
【補正の内容】
【特許請求の範囲】
【請求項１】
第１ネットワークアクセスポイント及び第２ネットワークアクセスポイントを有し、第１ベアラ及び第２ベアラによりこれら第１ネットワークアクセスポイントと第２ネットワークアクセスポイントとの間でデータを搬送することのできるネットワークと、
上記第１ネットワークアクセスポイントに接続することのできる第１ターミナル及び上記第２ネットワークアクセスポイントに接続することのできる第２ターミナルであって、各ターミナルは、他のターミナルとで上記ネットワークを経て単一の論理通信構成体として第１形式の接続及び第２形式の接続を同時にサポートできるようにされた第１及び第２のターミナルと、
を備え、上記第１形式の接続は、上記ターミナル間に通信の始めに確立され、そして上記第２形式の接続は、その後に、新たな形式のデータが通信に導入されて、その送信が第２形式の接続により良好にサポートされる場合に上記ターミナル間に確立される通信システム。
【請求項２】
上記第１ベアラは、パケット交換ベアラであり、上記第１接続の形式は、パケット交換であり、そして
上記第２ベアラは、回路交換ベアラであり、上記第２接続の形式は、回路交換である請求項１に記載の通信システム。
【請求項３】
上記ターミナルは、
回路交換接続を確立し、そして
各ターミナルが上記回路交換接続によりそのパケット交換アドレスを他のターミナルへ送信する、
という段階により同時パケット交換及び回路交換接続を確立する動作を実行するように構成された請求項２に記載の通信システム。
【請求項４】
上記ターミナルは、上記回路交換接続を経て送信されたパケット交換アドレスによりパケット交換接続を確立するように構成された請求項３に記載の通信システム。
【請求項５】
上記ターミナルは、
回路交換接続を確立し、そして
各ターミナルが上記ネットワークのプロキシーサーバーと通信して、該プロキシーサーバーから他のターミナルのパケット交換アドレスを得る、
という段階により同時パケット交換及び回路交換接続を確立する動作を実行するように構成された請求項２に記載の通信システム。
【請求項６】
各ターミナルは、各プロキシーサーバーに他のターミナルのネットワークアドレスを与えるように構成され、そして上記プロキシーサーバーは、そのアドレスに応答して、上記他のターミナルのパケット交換アドレスを与えるように構成された請求項５に記載の通信システム。
【請求項７】
上記ターミナルは、上記プロキシーにより得たパケット交換アドレスによりパケット交換接続を確立するように構成された請求項５又は６に記載の通信システム。
【請求項８】
上記パケット交換アドレスは、インターネットプロトコルアドレスである請求項３から７のいずれかに記載の通信システム。
【請求項９】
上記パケット交換アドレスは、ユーザ対ユーザシグナリングにより上記ターミナルへ送信される請求項３から８のいずれかに記載の通信システム。
【請求項１０】
上記パケット交換アドレスは、セッション記述プロトコルにより上記ターミナルへ送信される請求項３から９のいずれかに記載の通信システム。
【請求項１１】
上記第１ベアラは、回路交換ベアラであり、上記第１接続の形式は、回路交換であり、そして
上記第２ベアラは、パケット交換ベアラであり、上記第２接続の形式は、パケット交換である請求項１に記載の通信システム。
【請求項１２】
上記ターミナルは、
パケット交換接続を確立し、そして
各ターミナルが上記パケット交換接続によりその回路交換アドレスを他のターミナルへ送信する、
という段階により同時パケット交換及び回路交換接続を確立する動作を実行するように構成された請求項１１に記載の通信システム。
【請求項１３】
上記ターミナルは、上記パケット交換接続を経て送信された回路交換アドレスにより回路交換接続を確立するように構成された請求項１２に記載の通信システム。
【請求項１４】
上記回路交換アドレスは、移動加入者サービス総合デジタルネットワーク認識である請求項１２又は１３に記載の通信システム。
【請求項１５】
上記回路交換アドレスは、セッション開始プロトコルにより送信される請求項１２から１４のいずれかに記載の通信システム。
【請求項１６】
第１ネットワークアクセスポイント及び第２ネットワークアクセスポイントを有し、パケット交換ベアラ及び回路交換ベアラによりこれら第１ネットワークアクセスポイントと第２ネットワークアクセスポイントとの間でデータを搬送することのできるネットワークを備えた通信システムにより、第１ターミナルと第２ターミナルとの間で通信する方法において、
上記第１ターミナルは、上記第１ネットワークアクセスポイントに接続し、
上記第２ターミナルは、上記第２ネットワークアクセスポイントに接続し、そして
各ターミナルは、他のターミナルとで上記ネットワークを経て単一の論理通信構成体としてパケット交換接続及び回路交換接続を同時にサポートし、そして
一方の形式の接続は、上記ターミナル間の通信の始めに確立し、そして他方の形式の接続は、その後に、新たな形式のデータが通信に導入されて、その送信が上記他方の形式の接続により良好にサポートされる場合に上記ターミナル間に確立する、
という段階を備えた方法。
【請求項１７】
上記ターミナルは、
回路交換接続を確立し、そして
各ターミナルが上記回路交換接続によりそのパケット交換アドレスを他のターミナルへ送信する、
という段階により同時パケット交換及び回路交換接続を確立する動作を実行するように構成された請求項１６に記載の方法。
【請求項１８】
上記ターミナルは、上記回路交換接続を経て送信されたパケット交換アドレスによりパケット交換接続を確立するように構成された請求項１７に記載の方法。
【請求項１９】
上記ターミナルは、
回路交換接続を確立し、そして
各ターミナルが上記ネットワークのプロキシーサーバーと通信して、該プロキシーサーバーから他のターミナルのパケット交換アドレスを得る、
という段階により同時パケット交換及び回路交換接続を確立する動作を実行するように構成された請求項１７に記載の方法。
【請求項２０】
各ターミナルは、各プロキシーサーバーに他のターミナルのネットワークアドレスを与えるように構成され、そして上記プロキシーサーバーは、そのアドレスに応答して、上記他のターミナルのパケット交換アドレスを与えるように構成された請求項１９に記載の方法。
【請求項２１】
上記ターミナルは、上記プロキシーにより得たパケット交換アドレスによりパケット交換接続を確立するように構成された請求項１９又は２０に記載の方法。
【請求項２２】
上記パケット交換アドレスは、インターネットプロトコルアドレスである請求項１６から２１のいずれかに記載の方法。
【請求項２３】
上記パケット交換アドレスは、ユーザ対ユーザシグナリングにより上記ターミナルへ送信される請求項１６から２２のいずれかに記載の方法。
【請求項２４】
上記パケット交換アドレスは、セッション記述プロトコルにより上記ターミナルへ送信される請求項１６から２３のいずれかに記載の方法。
【請求項２５】
上記ターミナルは、
パケット交換接続を確立し、そして
各ターミナルが上記パケット交換接続によりその回路交換アドレスを他のターミナルへ送信する、
という段階により同時パケット交換及び回路交換接続を確立する動作を実行するように構成された請求項１６から２４のいずれかに記載の方法。
【請求項２６】
上記ターミナルは、上記パケット交換接続を経て送信された回路交換アドレスにより回路交換接続を確立するように構成された請求項２５に記載の方法。
【請求項２７】
上記回路交換アドレスは、移動加入者サービス総合デジタルネットワーク認識である請求項２４又は２５に記載の方法。
【請求項２８】
上記回路交換アドレスは、セッション開始プロトコルにより送信される請求項２４から２６のいずれかに記載の方法。